(57)【特許請求の範囲】
【請求項１】
複数の住戸にそれぞれ設置される複数の住戸端末装置を備え、前記住戸端末装置が、前記住戸端末装置で設定される設定情報を記憶する記憶手段と、他の前記住戸端末装置の設定情報を取得する通信手段と、取得された設定情報に基づいて前記住戸端末装置の設定を行う設定手段とを有し、前記設定情報が、複数のセンサの割り付けを示す情報を含み、前記設定手段が、前記設定情報に基づいてセンサの割り付けを行うことを特徴とする集合住宅システム。
【請求項２】
前記住戸端末装置が、設定情報提供元の指定を受け付ける操作手段を有し、前記通信手段が、前記設定情報提供元の前記住戸端末装置から前記設定情報を取得することを特徴とする請求項１に記載の集合住宅システム。
【請求項３】
前記住戸端末装置が、設定情報提供先の指定を受け付ける操作手段を有し、前記通信手段が、前記設定情報提供先の前記住戸端末装置に前記設定情報を配信することを特徴とする請求項１に記載の集合住宅システム。
【請求項４】
前記住戸端末装置が、一斉配信指示を受け付ける操作手段を有し、前記通信手段が、複数の前記住戸端末装置に前記設定情報を一斉に配信することを特徴とする請求項１に記載の集合住宅システム。
【請求項５】
前記設定情報を収集する制御装置を備え、設定情報提供元の前記住戸端末装置が、前記制御装置に前記設定情報をアップロードし、設定情報提供先の前記住戸端末装置が、前記制御装置から前記設定情報をダウンロードすることを特徴とする請求項１に記載の集合住宅システム。
【請求項６】
前記設定情報を収集する制御装置を備え、前記制御装置が、設定情報提供元の前記住戸端末装置から前記設定情報を取得するとともに、設定情報提供先の前記住戸端末装置に前記設定情報を配信することを特徴とする請求項１に記載の集合住宅システム。
【発明の詳細な説明】
【０００１】
【発明の属する技術分野】
本発明は、複数の住戸にそれぞれ設置される複数の住戸端末装置を備えた集合住宅システムに関する。
【０００２】
【従来の技術】
従来、集合住宅システムは、作業員が複数の住戸を回り、各住戸の住戸端末装置に設けられたディップスイッチによって、設定項目毎に、住戸端末装置の設定を行うようになっていた。
【０００３】
【発明が解決しようとする課題】
しかしながら、このような従来の集合住宅システムおよび設定方法では、作業員が全ての住戸を回る必要があるとともに、それぞれの住戸端末装置で設定項目毎に様々な設定を行う必要があるために、住戸端末装置の数が増えれば増えるほど、また、設定項目の数が増えれば増えるほど、設定作業に時間を要するとともに設定間違いも増えてしまうという問題があった。
【０００４】
本発明はこのような問題を解決するためになされたもので、複数の住戸にそれぞれ設置される住戸端末装置の設定作業を容易に行うことができるとともに設定間違いを抑止することができる集合住宅システムを提供する。
【０００５】
【課題を解決するための手段】
本発明の集合住宅システムは、複数の住戸にそれぞれ設置される複数の住戸端末装置を備え、前記住戸端末装置が、前記住戸端末装置で設定される設定情報を記憶する記憶手段と、他の前記住戸端末装置の設定情報を取得する通信手段と、取得された設定情報に基づいて前記住戸端末装置の設定を行う設定手段とを有し、前記設定情報が、複数のセンサの割り付けを示す情報を含み、前記設定手段が、前記設定情報に基づいてセンサの割り付けを行う構成を有している。
【０００６】
この構成により、設定済の住戸端末装置に登録された設定情報を用いることができ、住戸端末装置毎の設定入力を行う必要がなく、また、設定項目毎の設定入力を行う必要がなく、設定作業を容易に行うことができるとともに設定間違いを抑止することができる。
【０００７】
本発明の集合住宅システムは、前記住戸端末装置が、設定情報提供元の指定を受け付ける操作手段を有し、前記通信手段が、前記設定情報提供元の前記住戸端末装置から前記設定情報を取得する構成を有している。
【０００８】
この構成により、他の住戸に入ることなく、設定済の住戸端末装置を指定して設定情報を取得することができる。
【０００９】
本発明の集合住宅システムは、前記住戸端末装置が、設定情報提供先の指定を受け付ける操作手段を有し、前記通信手段が、前記設定情報提供先の前記住戸端末装置に前記設定情報を配信する構成を有している。
【００１０】
この構成により、未設定の住戸端末装置を指定して設定情報を配信し設定をすることができる。
【００１１】
本発明の集合住宅システムは、前記住戸端末装置が、一斉配信指示を受け付ける操作手段を有し、前記通信手段が、複数の前記住戸端末装置に前記設定情報を一斉に配信する構成を有している。
【００１２】
この構成により、同時に複数の住戸端末装置に設定情報を配信することができ、作業を格別に容易なものとすることができる。
【００１３】
本発明の集合住宅システムは、前記設定情報を収集する制御装置を備え、前記住戸端末装置が、設定情報提供元の前記住戸端末装置が、前記制御装置に前記設定情報をアップロードし、前記設定情報提供先の前記住戸端末装置が、前記制御装置から前記設定情報をダウンロードする構成を有している。
【００１４】
この構成により、制御装置に設定情報を予めアップロードしておくことにより、設定済の住戸端末装置の電源が入っていないような場合であっても、他の住戸に入ることなく、設定済の住戸端末装置の設定情報を用いて未設定の住戸端末装置の設定をすることができる。
【００１５】
本発明の集合住宅システムは、前記設定情報を収集する制御装置を備え、前記制御装置が、設定情報提供元の前記住戸端末装置から前記設定情報を取得するとともに、設定情報提供先の前記住戸端末装置に前記設定情報を配信する構成を有している。
【００１６】
この構成により、住戸端末装置が設置された住戸に入ることなく、制御装置の側で、未設定の住戸端末装置の設定をすることができる。
【００２０】
さらに、この構成により、センサの信号入力手段への割り付けを自由かつ容易に行うことができ、また、センサに関する設定間違いを抑止することができる。また、センサの種別の最大数に応じた信号入力手段を住戸端末装置に実装させて用意しておく必要がないこととなる。また、設定情報に、センサからの信号を読み取る方法（信号読取方法）、異常を検出した場合の報知をする方法（報知方法）、異常を検出した場合の遠隔への通報をする方法（通報方法）、その他のセンサ毎の割り付けに関する各種情報を含むようにした場合、集合住宅毎にセキュリティ環境が異なる場合や、同一の集合住宅内であっても住戸によってセキュリティ環境が異なる場合であっても、同一機種での対応が可能となる。
【００３３】
【発明の実施の形態】
以下、本発明の実施の形態について、図面を用いて説明する。
【００３４】
図１は、本発明の一実施の形態の集合住宅システムを示すブロック図である。図１において、複数の住戸端末装置１１０は、複数の住戸にそれぞれ設置され、伝送路を介して互いに接続されている。制御装置１３０は、伝送路を介して複数の住戸端末装置１１０と接続され、住戸端末装置１１０から設定情報を収集する。
【００３５】
住戸端末装置１１０は、センサ１０１からの信号がそれぞれ入力される信号入力手段１１１と、異常と判定されたときに報知を行う報知手段１１２と、住戸端末装置１１０において設定される設定情報を記憶する記憶手段１１３と、設定情報の内容等を表示する表示手段１１４と、設定情報の入力操作、設定情報の取得操作、設定情報の配信操作、その他の各種操作を行う操作手段１１５と、設定情報の配信や取得を行う通信手段１１６と、取得された設定情報を記憶手段１１３に登録する登録手段１１７と、操作手段１１５によって入力された設定情報または通信手段１１６によって取得された設定情報に基づいて住戸端末装置１１０の設定を行う設定手段１１８と、センサからの信号に基づいて異常の判定を行う判定手段１１９とを有する。なお、登録手段１１７と設定手段１１８と判定手段１１９とは、住戸端末装置１１０の制御手段１２０を構成する。
【００３６】
なお、住戸端末装置１１０の信号入力手段１１１は、それぞれ信号入力端子を有する。これらの信号入力端子は、複数のセンサ１０１から検知信号がそれぞれ入力されるようになっている。なお、図１は、信号入力手段１１１に合計４つのセンサ１０１を接続した例を示す。例えば、防犯センサ、トイレコールセンサ、バスコールセンサ、火災検知センサといった各種センサが住戸の環境に応じて接続される。
【００３７】
また、住戸端末装置１１０の操作手段１１５が、設定情報取得指示と設定情報提供元の指定とを受け付けたとき、住戸端末装置１１０の通信手段１１６が、設定情報提供元の住戸端末装置１１０から設定情報を取得するようになっている。
【００３８】
また、住戸端末装置１１０の操作手段１１５が設定情報配信指示と設定情報提供先の指定とを受け付けたとき、住戸端末装置１１０の通信手段１１６が、設定情報提供先の住戸端末装置１１０に設定情報を配信するようになっている。
【００３９】
また、住戸端末装置１１０の操作手段１１５が設定情報の一斉配信指示を受け付けたとき、住戸端末装置１１０の通信手段１１６が、複数の住戸端末装置１１０に設定情報を一斉に配信するようになっている。
【００４０】
制御装置１３０は、住戸端末装置１１０の設定情報を記憶する記憶手段１３３と、設定情報の内容等を表示する表示手段１３４と、設定情報の取得や配信を行う通信手段１３６と、設定情報の入力操作、設定情報の取得操作、設定情報の配信操作、設定情報の編集操作、その他の各種操作を行う操作手段１３５と、設定情報の編集処理、その他の各種処理を行う制御手段１４０とを有する。
【００４１】
なお、制御装置１３０の操作手段１３５が設定情報取得指示と設定情報提供元の指定とを受け付けたとき、制御装置１３０の通信手段１３６が、設定情報提供元の住戸端末装置１１０から設定情報を取得し、制御装置１３０の操作手段１３５が、設定情報の配信指示と設定情報提供先の指定とを受け付けたとき、制御装置１３０の通信手段１３６が、設定情報提供先の住戸端末装置１１０に設定情報を配信するようになっている。
【００４２】
また、住戸端末装置１１０の操作手段１１５がアップロード指示を受け付けたとき、住戸端末装置１１０の通信手段１１６が、制御装置１３０に設定情報をアップロードするようになっている。また、住戸端末装置１１０の操作手段１１５が、ダウンロード指示を受け付けたとき、住戸端末装置１１０の通信手段１１６が、制御装置１３０から設定情報をダウンロードするようになっている。
【００４３】
図２は、本発明の一実施の形態の集合住宅システムにおけるセンサに関する設定情報２０１の例を示す図である。図２において、第１の信号入力端子は、防犯センサを接続し、センサからの検知信号はパルスで信号読取を行い、異常を検出したとき、外部灯に警報信号を出力するとともに予め決められた警報音を出力し、住戸端末装置１１０の通信手段１１６によってセンタ等に通報をする。また、第２の信号入力端子は、トイレコールセンサを接続し、センサからの検知信号はパルスで信号読取を行い、異常を検出したとき、予め決められた呼出音を出力し、住戸端末装置１１０の通信手段１１６による通報については行わない。また、第３の信号入力端子は、バスコールセンサを接続し、センサからの検知信号はレベルで信号読取を行い、異常を検出したとき、予め決められた呼出音を出力し、住戸端末装置１１０の通信手段１１６による通報については行わない。また、第４の信号入力端子は、火災検知センサを接続し、センサからの検知信号はレベルで信号読取を行い、異常を検出したとき、外部灯に警報信号を出力するとともに、予め決められた警報音を出力し、住戸端末装置１１０の通信手段１１６によりセンタ等に通報をする。このような設定情報２０１は住戸端末装置１１０の記憶手段１１３に記憶され、住戸端末装置１１０の設定手段１１８が、設定情報２０１に基づいてセンサの割り付けを行う。例えば、信号読取方法は信号入力手段１１１に設定し、報知方法と通報方法とは判定手段１１９および通信手段１１６に設定する。
【００４４】
なお、図２においては、図１に示す住戸端末装置１１０の全ての信号入力手段１１１にセンサを接続した例を示したが、センサが接続されない信号入力手段１１１があってもよい。また、センサは、防犯センサ、トイレコールセンサ、バスコールセンサおよび火災検知センサに限るものではなく、その他の種類のセンサを接続してもよい。また、報知方法は、外部灯表示、警報音出力および呼出音出力に限るものではなく、その他のどのような報知方法の設定をしてもよい。例えば、ドアホンに移報するか否かについて設定してもよい。また、状況に応じて音の種類を決める設定をしてもよい。また、通報方法は、通報の有無に限るものではなく、通報コマンドの種別や、通報の宛先、その他のどのような通報方法の設定をしてもよい。また、センサからの信号を入力してから異常を検出するまでの時間や、報知するまでの遅延時間について設定してもよい。
【００４５】
図３は、本発明の一実施の形態の集合住宅システムにおける設定処理の例を示す説明図である。
【００４６】
図３の（ａ）は、設定処理の第１の例を示し、設定情報提供先の住戸端末装置１１０ａが設定情報提供元の住戸端末装置１１０ｂ、１１０ｃから設定情報を取得する。なお、一つの住戸端末装置１１０ｂから全ての項目の設定情報を取得してもよく、また、複数の住戸端末装置１１０ｂ、１１０ｃから互いに異なる項目の設定情報を取得してもよい。
【００４７】
図３の（ｂ）は、設定処理の第２の例を示し、設定情報提供元の住戸端末装置１１０ａが設定情報提供先の住戸端末装置１１０ｂに設定情報を配信する。また、複数の住戸端末装置１１０ｂ、１１０ｃに一斉に設定情報を配信してもよい。
【００４８】
図３の（ｃ）は、設定処理の第３の例を示し、設定情報提供元の住戸端末装置１１０ｃが制御装置１３０に設定情報をアップロードし、設定情報提供先の住戸端末装置１１０ａが制御装置１３０から設定情報をダウンロードする。
【００４９】
図３の（ｄ）は、設定処理の第４の例を示し、制御装置１３０が設定情報提供元の住戸端末装置１１０ｃから設定情報を取得し、制御装置１３０が設定情報提供先の住戸端末装置１１０ａに設定情報を配信する。
【００５０】
図３の（ｅ）は、設定処理の第５の例を示し、設定情報提供元の住戸端末装置１１０ｃが制御装置１３０に設定情報をアップロードし、制御装置１３０において設定情報が編集され、制御装置１３０が設定情報を設定情報提供先の住戸端末装置１１０ａに配信する。
【００５１】
図４は、設定処理の第１の例を示すフローチャートである。なお、図４に示す一連のフローは、住戸端末装置１１０の記憶手段１１３に記憶されたプログラムによって、住戸端末装置１１０の制御手段１２０が実行するようになっている。
【００５２】
設定情報提供元の住戸端末装置１１０の操作手段１１５によって、設定情報が予め入力され、設定情報提供元の記憶手段１１３によって入力された設定情報が記憶されている。このように設定情報提供元の住戸端末装置１１０において設定情報が登録された状態で、設定情報提供先の住戸端末装置１１０の操作手段１１５によって、設定メニューの選択を受け付ける（Ｓ４０１）。次に、設定情報提供先の住戸端末装置１１０の操作手段１１５によって、設定情報取得指示を受け付ける（Ｓ４０２）。次に、設定情報提供元の住戸端末装置１１０に対応した住戸番号の指定を受け付ける（Ｓ４０３）。次に、入力された住戸番号が正当な番号であるか否かを判定する（Ｓ４０４）。不当な番号であった場合、住戸端末装置１１０の表示手段１１４によって、エラー表示を行う（Ｓ４０５）。正当な番号であった場合、設定情報提供先の住戸端末装置１１０の通信手段１１６によって、設定情報提供元の住戸端末装置１１０の通信手段１１６と通信し、設定情報提供元の住戸端末装置１１０の記憶手段１１３に記憶された設定情報を取得する（Ｓ４０６）。次に、取得された設定情報を設定情報提供先の住戸端末装置１１０の記憶手段１１３に登録する（Ｓ４０７）。次に、取得された設定情報に基づいて設定情報提供先の住戸端末装置１１０の設定を行う（Ｓ４０８）。
【００５３】
図５は、設定処理の第２の例を示すフローチャートである。なお、図５に示す一連のフローは、住戸端末装置１１０の記憶手段１１３に記憶されたプログラムによって、住戸端末装置１１０の制御手段１２０が実行するようになっている。
【００５４】
設定情報提供元の住戸端末装置１１０に設定情報が登録された状態で、設定情報提供元の住戸端末装置１１０の操作手段１１５によって、設定メニューの選択を受け付ける（Ｓ５０１）。次に、設定情報提供元の住戸端末装置１１０の操作手段１１５によって、設定情報配信指示を受け付ける（Ｓ５０２）。次に、個別に配信するか一斉に配信するかの選択を受け付ける（Ｓ５０３）。個別に配信する場合、設定情報提供先の住戸端末装置１１０に対応した住戸番号の指定を受け付ける（Ｓ５０４）。次に、入力された住戸番号が正当な番号であるか否かを判定する（Ｓ５０５）。不当な番号であった場合、住戸端末装置１１０の表示手段１１４によって、エラー表示を行う（Ｓ５０６）。正当な番号であった場合、設定情報提供元の住戸端末装置１１０の通信手段１１６によって、設定情報提供先の住戸端末装置１１０の通信手段１１６と通信し、設定情報提供元の住戸端末装置１１０の記憶手段１１３に記憶された設定情報を設定情報提供先の住戸端末装置１１０に配信する（Ｓ５０７）。一斉に設定情報を配信する場合、設定情報提供元の住戸端末装置１１０の通信手段１１６によって、複数の住戸端末装置１１０に設定情報を一斉に配信する（Ｓ５０８）。設定情報提供先の住戸端末装置１１０の記憶手段１１３は、配信された設定情報を記憶する。
【００５５】
図６は、設定処理の第３の例を示すフローチャートである。なお、図６に示す一連のフローは、住戸端末装置１１０の記憶手段１１３に記憶されたプログラムによって、住戸端末装置１１０の制御手段１２０が実行するようになっている。
【００５６】
設定情報提供元の住戸端末装置１１０において設定情報が登録された状態で、設定情報提供元の住戸端末装置１１０の操作手段１１５によって、設定メニューの選択を受け付ける（Ｓ６０１）。次に、設定情報提供元の住戸端末装置１１０の操作手段１１５によって、設定情報のアップロード指示を受け付ける（Ｓ６０２）。次に、設定情報提供元の住戸端末装置１１０の通信手段１１６によって、制御装置１３０の通信手段１３６と通信し、制御装置１３０の記憶手段１３３に既存の設定情報が登録されているか否かを検出する（Ｓ６０３）。既存の設定情報が有る場合には、設定情報提供元の住戸端末装置１１０の操作手段１１５によって、設定情報の上書きをするか否かの選択を受け付ける（Ｓ６０４）。上書きしない場合には、設定処理を中止する（Ｓ６０５）。既存の設定情報が無い場合、または、既存の設定情報に上書きする場合には、設定情報提供元の住戸端末装置１１０の通信手段１１６によって、制御装置１３０の通信手段１３６と通信し、制御装置１３０に設定情報をアップロードする（Ｓ６０６）。制御装置１３０の記憶手段１３３は、アップロードされた設定情報を記憶する。
【００５７】
また、設定情報提供先の住戸端末装置１１０の操作手段１１５によって、設定メニューの選択を受け付ける（Ｓ６１１）。次に、設定情報提供先の住戸端末装置１１０の操作手段１１５によって、設定情報のダウンロード指示を受け付ける（Ｓ６１２）。次に、設定情報提供先の住戸端末装置１１０の通信手段１１６によって、制御装置１３０の通信手段１３６と通信し、制御装置１３０の記憶手段１３３に記憶された設定情報をダウンロードし、設定情報提供先の住戸端末装置１１０の記憶手段１１３は、ダウンロードされた設定情報を記憶する（Ｓ６１３）。
【００５８】
図７は、設定処理の第４の例を示すフローチャートである。なお、図７に示す一連のフローは、制御装置１３０の記憶手段１３３に記憶されたプログラムによって、制御装置１３０の制御手段１４０が実行するようになっている。
【００５９】
設定情報提供元の住戸端末装置１１０において設定情報が登録された状態で、制御装置１３０の操作手段１３５によって、設定メニューの選択を受け付ける（Ｓ７０１）。次に、制御装置１３０の操作手段１３５によって、設定情報の取得指示を受け付ける（Ｓ７０２）。次に、制御装置１３０の操作手段１３５によって、設定情報提供元の住戸端末装置１１０に対応した住戸番号の指定を受け付ける（Ｓ７０３）。次に、入力された住戸番号が正当な番号であるか否かを判定する（Ｓ７０４）。不当な番号であった場合、制御装置１３０の表示手段１３４によって、エラー表示を行う（Ｓ７０５）。正当な番号であった場合、制御装置１３０の通信手段１３６によって、設定情報提供元の住戸端末装置１１０の通信手段１１６と通信し、設定情報提供元の住戸端末装置１１０の記憶手段１１３に記憶された設定情報を取得する（Ｓ７０６）。制御装置１３０の記憶手段１３３は、受信した設定情報を記憶する。
【００６０】
また、制御装置１３０の操作手段１３５によって、設定情報の配信指示を受け付ける（Ｓ７１１）。次に、制御装置１３０の操作手段１３５によって、設定情報提供先の住戸端末装置１１０に対応した住戸番号の指定を受け付ける（Ｓ７１２）。次に、入力された住戸番号が正当な番号であるか否かを判定する（Ｓ７１３）。不当な番号であった場合、制御装置１３０の表示手段１３４によって、エラー表示を行う（Ｓ７１４）。正当な番号であった場合、制御装置１３０の通信手段１３６によって、設定情報提供先の住戸端末装置１１０の通信手段１１６と通信し、設定情報提供先の住戸端末装置１１０に設定情報を配信する（Ｓ７１５）。設定情報提供先の住戸端末装置１１０の記憶手段１１３が、配信された設定情報を記憶する。
【００６１】
図８は、設定処理の第５の例を示すフローチャートである。なお、図８に示す一連のフローは、設定情報提供元の住戸端末装置１１０の記憶手段１１３および制御装置１３０の記憶手段１３３に記憶されたプログラムによって、設定情報提供元の住戸端末装置１１０の制御手段１２０および制御装置１３０の制御手段１４０が実行するようになっている。
【００６２】
設定情報提供元の住戸端末装置１１０において設定情報が登録された状態で、設定情報提供元の住戸端末装置１１０の操作手段１１５によって、設定メニューの選択を受け付ける（Ｓ８０１）。次に、情報提供元の住戸端末装置１１０の操作手段１１５によって、設定情報のアップロード指示を受け付ける（Ｓ８０２）。次に、設定情報提供元の住戸端末装置１１０の通信手段１１６によって、制御装置１３０の通信手段１３６と通信し、制御装置１３０の記憶手段１３３に既存の設定情報が登録されているか否かを検出する（Ｓ８０３）。既存の設定情報が有る場合には、設定情報提供元の住戸端末装置１１０の操作手段１１５によって、設定情報の上書きをするか否かの選択を受け付ける（Ｓ８０４）。上書きしない場合には、設定処理を中止する（Ｓ８０５）。既存の設定情報が無い場合、または、既存の設定情報に上書きする場合には、設定情報提供元の住戸端末装置１１０の通信手段１１６によって、制御装置１３０の通信手段１３６と通信し、制御装置１３０に設定情報をアップロードする（Ｓ８０６）。制御装置１３０の記憶手段１３３は、アップロードされた設定情報を記憶する。
【００６３】
次に、制御装置１３０の操作手段１３５によって、設定メニューの選択を受け付ける（Ｓ８１１）。次に、制御装置１３０の操作手段１３５によって、設定情報の編集操作を受け付け、制御装置１３０の制御手段１４０が、制御装置１３０の記憶手段１３３の設定情報を編集する（Ｓ８１２）。次に、制御装置１３０の操作手段１３５によって、設定情報配信指示を受け付ける（Ｓ８１３）。次に、制御装置１３０の操作手段１３５によって、設定情報提供先の住戸端末装置１１０に対応した住戸番号の指定を受け付ける（Ｓ８１４）。次に、入力された住戸番号が正当な番号であるか否かを判定する（Ｓ８１５）。不当な番号であった場合、制御装置１３０の表示手段１３４によって、エラー表示を行う（Ｓ８１６）。正当な番号であった場合、制御装置１３０の通信手段１３６によって、設定情報提供先の住戸端末装置１１０の通信手段１１６と通信し、制御装置１３０の記憶手段１３３に記憶された設定情報を設定情報提供先の住戸端末装置１１０に配信する（Ｓ８１７）。設定情報提供先の住戸端末装置１１０の記憶手段１１３は、配信された設定情報を記憶する。
【００６４】
以上説明したように、本実施の形態の集合住宅システムは、住戸端末装置１１０が、住戸端末装置１１０で設定される設定情報を記憶する記憶手段１１３と、他の住戸端末装置１１０の設定情報を取得する通信手段１１６と、取得された設定情報に基づいて住戸端末装置１１０の設定を行う設定手段１１８とを有するようにしたので、面倒な設定をひとつの住戸端末装置にしさえすれば、この住戸端末装置に登録された設定情報を用いることができ、住戸端末装置毎の設定入力を行う必要がなく、また、設定項目毎の設定入力を行う必要がなく、設定作業を容易に行うことができるとともに設定間違いを抑止することができる。
【００６５】
また、本実施の形態の集合住宅システムは、住戸端末装置１１０が、設定情報提供元の指定を受け付ける操作手段１１５を有し、通信手段１１６が、設定情報提供元の住戸端末装置１１０から設定情報を取得するようにしたので、他の住戸に入ることなく、設定済の住戸端末装置を指定して設定情報を取得することができる。
【００６６】
また、本実施の形態の集合住宅システムは、住戸端末装置１１０が、設定情報提供先の指定を受け付ける操作手段１１５を有し、住戸端末装置１１０の通信手段１１６が、設定情報提供先の住戸端末装置１１０に設定情報を配信するようにしたので、未設定の住戸端末装置を指定して設定情報を配信し設定をすることができる。
【００６７】
また、本実施の形態の集合住宅システムは、住戸端末装置１１０が、一斉配信指示を受け付ける操作手段１１５を有し、住戸端末装置１１０の通信手段１１６が、複数の住戸端末装置１１０に設定情報を一斉に配信するようにしたので、作業を格別に容易なものとすることができる。
【００６８】
また、本実施の形態の集合住宅システムは、住戸端末装置１１０が、アップロード指示を受け付ける操作手段１１５を有し、アップロード指示を受け付けた設定情報提供元の住戸端末装置１１０の通信手段１１６が、制御装置１３０に設定情報をアップロードし、設定情報提供先の住戸端末装置１１０の操作手段１１５が、ダウンロード指示を受け付け、設定情報提供先の住戸端末装置１１０の通信手段１１６が、制御装置１３０から設定情報をダウンロードするようにしたので、制御装置に設定情報を予めアップロードしておくことにより、設定済の住戸端末装置の電源が入っていないような場合であっても、他の住戸に入ることなく、設定済の住戸端末装置の設定情報を用いて未設定の住戸端末装置の設定をすることができる。
【００６９】
また、本実施の形態の集合住宅システムは、制御装置１３０が、設定情報提供元の指定を受け付ける操作手段１３５と、設定情報提供元の住戸端末装置１１０から設定情報を取得する通信手段１３６とを有し、制御装置１３０の操作手段１３５が、設定情報提供先の指定を受け付け、制御装置１３０の通信手段１３６が、設定情報提供先の住戸端末装置１１０に設定情報を配信するようにしたので、設定済の住戸端末が設置された住戸に入ることなく、制御装置の側で、未設定の住戸端末装置の設定をすることができる。
【００７０】
また、本実施の形態の集合住宅システムは、設定情報の編集を行う編集手段を備えたので、設定済の住戸端末装置の設定情報の特定の項目のみを変更して、未設定の住戸端末装置の設定をすることができる。
【００７１】
また、本実施の形態の集合住宅システムは、設定情報が、複数のセンサの割り付けを示す情報を含み、設定手段１１８が、設定情報に基づいてセンサの割り付けを行うようにしたので、センサの信号入力手段への割り付けを自由かつ容易に行うことができ、また、センサに関する設定間違いを抑止することができる。また、センサの種別の最大数に応じた信号入力手段を住戸端末装置に実装させて用意しておく必要がないこととなる。また、設定情報に、センサからの信号を読み取る方法（信号読取方法）、異常を検出した場合の報知をする方法（報知方法）、異常を検出した場合の遠隔への通報をする方法（通報方法）、その他のセンサ毎の割り付けに関する各種情報を含むようにした場合、集合住宅毎にセキュリティ環境が異なる場合や、同一の集合住宅内であっても住戸によってセキュリティ環境が異なる場合であっても、同一機種での対応が可能となる。
【００７２】
なお、集合住宅システムが、図３の（ａ）から（ｅ）までの全ての設定処理を選択的に行うように構成した場合、作業員が状況に応じて設定処理を選択することができ、利便性において優れるが、本発明はこれに限るものではなく、図３の（ａ）から（ｅ）までのいずれかの設定処理を行えるように構成してもよい。また、図３の（ａ）から（ｅ）までの設定処理に限らず、本発明の趣旨を逸脱しない範囲でその他の設定処理を行えるように構成してもよい。例えば、図３の（ｃ）または（ｄ）に示す設定処理において、制御装置１３０で設定情報の編集を行うように構成してもよい。また、住戸端末装置１１０に編集手段を設け、設定情報の編集を住戸端末装置１１０において行うようにしてもよい。
【００７３】
また、住戸端末装置がセキュリティ機能付きであり、設定情報がセンサに関する設定内容である場合を例に説明したが、センサに関する設定に限らず、住戸端末装置に関するどのような設定をするようにしてもよい。
【００７４】
【発明の効果】
本発明は、複数の住戸にそれぞれ設置される住戸端末装置の設定作業を容易に行うことができるとともに設定間違いを抑止することができるという優れた効果を有する集合住宅システムを提供する。
【図面の簡単な説明】
【図１】本発明の第１の実施の形態の集合住宅システムを示すブロック図
【図２】本発明の一実施の形態の集合住宅システムにおけるセンサに関する設定情報の例を示す図
【図３】本発明の一実施の形態の集合住宅システムにおける設定処理の例を示す説明図
【図４】本発明の一実施の形態の集合住宅システムにおける設定処理の第１の例を示すフローチャート
【図５】本発明の一実施の形態の集合住宅システムにおける設定処理の第２の例を示すフローチャート
【図６】本発明の一実施の形態の集合住宅システムにおける設定処理の第３の例を示すフローチャート
【図７】本発明の一実施の形態の集合住宅システムにおける設定処理の第４の例を示すフローチャート
【図８】本発明の一実施の形態の集合住宅システムにおける設定処理の第５の例を示すフローチャート
【符号の説明】
１１０  住戸端末装置
１１１  住戸端末装置の信号入力手段
１１２  住戸端末装置の報知手段
１１３  住戸端末装置の記憶手段
１１４  住戸端末装置の表示手段
１１５  住戸端末装置の操作手段
１１６  住戸端末装置の通信手段
１１７  住戸端末装置の登録手段
１１８  住戸端末装置の設定手段
１１９  住戸端末装置の判定手段
１２０  住戸端末装置の制御手段
１３０  制御装置
１３３  制御装置の記憶手段
１３４  制御装置の表示手段
１３５  制御装置の操作手段
１３６  制御装置の通信手段
１４０  制御装置の制御手段（編集手段）
【図１】
0003994771.tif 000002
【図２】
0003994771.tif 000003
【図３】
0003994771.tif 000004
【図４】
0003994771.tif 000005
【図５】
0003994771.tif 000006
【図６】
0003994771.tif 000007
【図７】
0003994771.tif 000008
【図８】
0003994771.tif 000009